(57)【特許請求の範囲】
【請求項１】
車両に乗車したまま葬儀に参列することができる葬儀施設であって、
前記車両の進入路につながる入口と、
前記車両の退出路につながる出口と、
祭壇部に沿って当該祭壇部の正面に敷設され、前記入口から前記出口までつながる前記車両の車道と、
前記祭壇部よりも前記入口側の前記車道又はこれに近接して設置され、前記車両に乗車した会葬者を受付する会葬者受付装置と、
前記車道のうち前記祭壇部を拝観可能な所定の区画に前記車両を固定する車両固定手段と、
前記所定の区画又はこれに近接して設置された焼香台と、
複数の前記会葬者により葬儀の１つの献品を共同購入する献品共同購入システムとを備え、
前記献品共同購入システムは、
前記献品の価格を含む献品情報を記憶する献品情報記憶手段と、
前記会葬者が支払可能な金額を入力する支払金額入力手段と、
前記献品情報記憶手段の献品情報に基づいて、１つの前記献品について、前記支払金額入力手段で複数の前記会葬者から入力した金額の合計が当該献品の価格以上であるか否かを判定する価格判定手段と、
前記価格判定手段で前記献品の価格以上であると判定した場合は、前記献品情報記憶手段の献品情報に基づいて当該献品の発注を行う献品発注手段とを有することを特徴とする葬儀施設。
【請求項２】
請求項１記載の葬儀施設を利用する葬儀参列支援方法であって、
前記会葬者受付装置が、前記車両に乗車した前記会葬者を受け付ける会葬者受付ステップと、
前記車両固定手段が、前記会葬者受付ステップで受付を完了した会葬者の前記車両を前記所定の区画に固定する車両固定ステップと、
前記支払金額入力手段が、前記会葬者が支払可能な金額を入力する支払金額入力ステップと、
前記価格判定手段が、前記献品情報記憶手段の献品情報に基づいて、１つの前記献品について、前記支払金額入力ステップで複数の前記会葬者から入力した金額の合計が当該献品の価格以上であるか否かを判定する価格判定ステップと、
前記献品発注手段が、前記価格判定ステップで前記献品の価格以上であると判定した場合は、前記献品情報記憶手段の献品情報に基づいて当該献品の発注を行う献品発注ステップとを含むことを特徴とする葬儀参列支援方法。
【発明の詳細な説明】
【技術分野】
【０００１】
本発明は、車両に乗車したまま葬儀に参列することができる葬儀施設に係り、特に、多様な事情がある会葬者が葬儀に気軽に参列することができる葬儀施設及び葬儀参列支援方法に関する。
【背景技術】
【０００２】
従来、葬儀施設としては、例えば、特許文献１記載の技術が知られている。
特許文献１記載の葬儀用ホールは、ホールの前方奥に舞台及び祭壇が設置される。祭壇の後方及び側方には、背面仕切り幕及び側面仕切り幕が取り付けられる。また、祭壇の上方には、ホール天井と背面仕切り幕との間の隙間を隠す水引幕が吊り下げられている。舞台の下部には、舞台、祭壇、背面仕切り幕、側面仕切り幕及び水引幕をホールの前後方向に一体に移動させる移動手段が設けられる。また、側面仕切り幕の側方には、ホール側壁と側面仕切り幕との間の隙間を隠す伸縮自在な横隠し幕が設けられる。
【先行技術文献】
【特許文献】
【０００３】
【特許文献１】特開平１１−６２２８９号公報
【発明の概要】
【発明が解決しようとする課題】
【０００４】
しかしながら、特許文献１記載の技術にあっては、会葬者の人数に合わせた会場設定を行うことができるものの（同文献〔００３０〕）、体の不自由な人や家族ぐるみで参列したいという要望、夜間などの時間外に葬儀に参列したいという要望、時間に忙しくも平装にて短時間で済ませたいという要望には、そもそも応えることができない。
【０００５】
そこで、本発明は、このような従来の技術の有する未解決の課題に着目してなされたものであって、多様な事情がある会葬者が葬儀に気軽に参列することができる葬儀施設及び葬儀参列支援方法を提供することを目的としている。
【課題を解決するための手段】
【０００６】
〔発明１〕  上記目的を達成するために、発明１の葬儀施設は、車両に乗車したまま葬儀に参列することができる葬儀施設であって、前記車両の進入路につながる入口と、前記車両の退出路につながる出口と、祭壇部に沿って当該祭壇部の正面に敷設され、前記入口から前記出口までつながる前記車両の車道と、前記祭壇部よりも前記入口側の前記車道又はこれに近接して設置され、前記車両に乗車した会葬者を受付する会葬者受付装置と、前記車道のうち前記祭壇部を拝観可能な所定の区画に前記車両を固定する車両固定手段と、前記所定の区画又はこれに近接して設置された焼香台とを備える。
【０００７】
このような構成であれば、会葬者は、車両に乗車したまま進入路から入口に車両で進入し、会葬者受付装置により受付を行う。その後、会葬者は、車道に沿って所定の区画まで車両を移動すると、車両固定手段により、所定の区画に車両が固定される。所定の区画では、祭壇部が拝観可能となっているので、会葬者は、ここで車両に乗車したまま祭壇部を拝観することができる。また、所定の区画又はこの付近には、焼香台が設置されているので、会葬者は、ここで車両に乗車したままお焼香を行うことができる。これらが終了すると、会葬者は、出口から退出路に車両で退出する。
【０００８】
ここで、祭壇部には、祭壇そのもののほか、遺影又は祭壇を表示する表示手段が含まれる。表示手段は、電子的、固定的その他の方式で遺影又は祭壇を表示するものであればよく、これには、例えば、ディスプレイ、プロジェクタ、ポスター又は看板が含まれる。
【０００９】
〔発明２〕  さらに、発明２の葬儀施設は、発明１の葬儀施設において、複数の前記会葬者により葬儀の１つの献品を共同購入する献品共同購入システムを備え、前記献品共同購入システムは、前記献品の価格を含む献品情報を記憶する献品情報記憶手段と、前記会葬者が支払可能な金額を入力する支払金額入力手段と、前記献品情報記憶手段の献品情報に基づいて、１つの前記献品について、前記支払金額入力手段で複数の前記会葬者から入力した金額の合計が当該献品の価格以上であるか否かを判定する価格判定手段と、前記価格判定手段で前記献品の価格以上であると判定した場合は、前記献品情報記憶手段の献品情報に基づいて当該献品の発注を行う献品発注手段とを有する。
【００１０】
このような構成であれば、会葬者は、支払金額入力手段により、１つの献品について支払可能な金額を入力する。複数の会葬者から支払可能な金額が入力されると、価格判定手段により、献品情報記憶手段の献品情報に基づいて、１つの献品について、複数の会葬者から入力された金額の合計がその献品の価格以上であるか否かが判定される。この結果、献品の価格以上であると判定された場合は、献品発注手段により、献品情報記憶手段の献品情報に基づいてその献品の発注が行われる。
【００１１】
ここで、献品情報記憶手段は、献品情報をあらゆる手段で且つあらゆる時期に記憶するものであり、献品情報を予め記憶してあるものであってもよいし、献品情報を予め記憶することなく、献品共同購入システムの動作時に外部からの入力等によって献品情報を記憶するようになっていてもよい。
【００１２】
また、献品共同購入システムは、単一の装置、端末その他の機器として実現するようにしてもよいし、複数の装置、端末その他の機器を通信可能に接続したネットワークシステムとして実現するようにしてもよい。後者の場合、各構成要素は、それぞれ通信可能に接続されていれば、複数の機器等のうちいずれに属していてもよい。また、構成要素の一部又は全部を会葬者受付装置等の他の設備に組み込んで構成してもよい。
【００１３】
〔発明３〕  一方、上記目的を達成するために、発明３の葬儀参列支援方法は、発明１及び２のいずれか１の葬儀施設を利用する葬儀参列支援方法であって、前記会葬者受付装置が、前記車両に乗車した前記会葬者を受け付ける会葬者受付ステップと、前記車両固定手段が、前記会葬者受付ステップで受付を完了した会葬者の前記車両を前記所定の区画に固定する車両固定ステップとを含む。
【発明の効果】
【００１４】
以上説明したように、発明１又は２の葬儀施設によれば、会葬者は、車両に乗車したまま葬儀に参列することができるので、体の不自由な人や家族ぐるみで参列したいという要望、夜間などの時間外に葬儀に参列したいという要望、時間に忙しくも平装にて短時間で済ませたいという要望等に応えることができる。したがって、従来に比して、多様な事情がある会葬者が葬儀に気軽に参列することができる。
【００１５】
さらに、発明２の葬儀施設によれば、複数の会葬者により１つの献品を共同購入することができるので、１つの献品を１人で購入するには金銭的に負担が大きい会葬者であっても、献品を行う機会が得られる。
【図面の簡単な説明】
【００１６】
【図１】葬儀施設１００の平面図である。
【図２】車両会葬者受付装置５６の機能ブロック図である。
【発明を実施するための形態】
【００１７】
以下、本発明の実施の形態を説明する。図１及び図２は、本実施の形態を示す図である。
【００１８】
まず、本実施の形態の構成を説明する。
図１は、葬儀施設１００の平面図である。なお、以下の説明において、図１の上方を奥行き方向、図１の下方を手前方向として説明する。
【００１９】
葬儀施設１００は、図１に示すように、葬儀斎場となる建物２００を有して構成されている。
【００２０】
建物２００には、異なる葬儀を行うための２つの斎場が設置されている。各斎場は、従来のように徒歩で来場した会葬者（以下「徒歩会葬者」という。）と、車両１で来場した会葬者（以下「車両会葬者」という。）が利用できるように構成されている。
【００２１】
第１の斎場は、建物２００の右側に設置された入口１０と、徒歩会葬者を受け付ける受付１２と、導師控室１４と、親族控室１６と、トイレ１８と、徒歩会葬者が利用する清め室２０と、式場２２とを有して構成されている。
【００２２】
受付１２は、入口１０の左区画に設置されている。
導師控室１４は、入口１０の奥行き区画に設置されている。親族控室１６は、導師控室１４に隣接する奥行き区画に設置されている。トイレ１８は、親族控室１６の奥行き区画に横並びに２つ設置されている。
【００２３】
清め室２０は、スライドドア２０ａを介して受付１２の左区画に設置されている。
式場２２は、スライドドア２０ｂを介して清め室２０の左区画に設置されている。徒歩会葬者は、スライドドア２０ｂを介して式場２２に入場することができる。車両会葬者は、式場２２の奥行き側に設置されたスライドドア２０ｃを介して式場２２に入場することができる。
【００２４】
式場２２は、奥行き側に設置された祭壇２２ａと、式場２２の奥行き側壁面に設置されたスクリーン２２ｂと、祭壇２２ａの手前に設置されたカメラ２２ｃと、祭壇２２ａの手前に設置された複数の椅子２２ｄとを有して構成されている。スクリーン２２ｂには、カメラ２２ｃで撮影した祭壇２２ａの画像が大きく表示される。式場２２の手前側壁面は、透明のガラスで全面が覆われており、式場２２の外部から車両会葬者が車両１に乗車したまま祭壇２２ａ及びスクリーン２２ｂを拝観することができる。
【００２５】
第２の斎場は、建物２００の左側に設置された入口３０と、徒歩会葬者を受け付ける受付３２と、導師控室３４と、親族控室３６と、トイレ３８と、徒歩会葬者が利用する清め室４０と、式場４２とを有して構成されている。
【００２６】
受付３２は、入口３０の右区画に設置されている。
導師控室３４は、入口３０の奥行き区画に設置されている。親族控室３６は、導師控室３４に隣接する奥行き区画に設置されている。トイレ３８は、親族控室３６の奥行き区画に横並びに２つ設置されている。
【００２７】
清め室４０は、スライドドア４０ａを介して受付３２の右区画に設置されている。
式場４２は、スライドドア４０ｂを介して清め室４０の右区画で式場２２に隣接して設置されている。式場２２、２４は、可動間仕切り４０ｄで仕切られている。徒歩会葬者は、スライドドア４０ｂを介して式場４２に入場することができる。車両会葬者は、式場４２の奥行き側に設置されたスライドドア４０ｃを介して式場４２に入場することができる。
【００２８】
式場４２は、奥行き側に設置された祭壇４２ａと、式場４２の奥行き側壁面に設置されたスクリーン４２ｂと、祭壇４２ａの手前に設置されたカメラ４２ｃと、祭壇４２ａの手前に設置された複数の椅子４２ｄとを有して構成されている。スクリーン４２ｂには、カメラ４２ｃで撮影した祭壇４２ａの画像が大きく表示される。式場４２の手前側壁面は、透明のガラスで全面が覆われており、式場４２の外部から車両会葬者が車両１に乗車したまま祭壇４２ａ及びスクリーン４２ｂを拝観することができる。
【００２９】
次に、車両会葬者が車両１に乗車したまま葬儀に参列するための設備を説明する。
葬儀施設１００は、図１に示すように、車両１の進入路につながる入口５０と、車両１の退出路につながる出口５２と、式場２２、４２の手前側壁面に沿って敷設され、入口５０から出口５２までつながる車両の車道５４と、式場２２よりも入口５０側の車道５４の進行方向右方に設置され、車両会葬者を受付する車両会葬者受付装置５６とを有して構成されている。
【００３０】
葬儀施設１００は、さらに、車道５４のうち式場２２の正面で祭壇２２ａ及びスクリーン２２ｂを拝観可能な所定の区画５８に車両１を固定する車両止めリフト６０と、所定の区画５８の進行方向右方に設置された焼香台６２と、車道５４のうち式場４２の正面で祭壇４２ａ及びスクリーン４２ｂを拝観可能な所定の区画６４に車両１を固定する車両止めリフト６６と、所定の区画６４の進行方向右方に設置された焼香台６８とを有して構成されている。
【００３１】
車両会葬者受付装置５６は、簡単に車両１内から窓越しにタッチパネルで操作して受付をすませることが可能で、車両１から降りることなく受付が可能のために安全で時間短縮にもつながる。車両会葬者の氏名は、式場２２、４２内に設置するスクリーン２２ｂ、４２ｂに車両会葬者受付装置５６による受付と同時に連動して表示され、遺族及び親族側には離れていても直ぐに伝わるので、スクリーン２２ｂ、４２ｂの画面によって瞬時に互いに挨拶が交わされることも礼儀上の信頼感が伝わる。
【００３２】
車両会葬者受付装置５６は、複数の車両会葬者により葬儀の１つの献花を共同購入することもできる。電話や電子メールの対応にて、１篭飾り分の内で、どの位の空き数量と、どんな種類の献花の在庫があるかプログラムによって確認することができ、献花の種類と少量でも、１人分の注文によって追加されて献花することが可能で、注文者が好きな花を無駄がなく生き花としての利用度及び価値観を保つことができる。
【００３３】
焼香台６２、６８は、車両１の窓を開けたときに手の届く位置にて設定が可能で焼香ができるので、家族ぐるみでも１回で全員がすませることが可能で容易である。
【００３４】
車両止めリフト６０、６６は、車両１に乗車したままで受付を行い、入口５０より進入すると、係員にてスイッチボタンが押され、所定の区画５８、６４にくると地中より専用の油圧ジャッキが自動的に上がって所定の区画５８、６４に車両１が固定される。車両会葬者が焼香をすますと、係員のスイッチボタンが押され、油圧ジャッキが地中に下がるので、車両１は出口５２へ進んで行くことができる。これらの繰り返しにより、１台ずつ焼香を進めて行く。
【００３５】
スクリーン２２ｂ、４２ｂにより葬儀施設１００の特徴や位置がわかるような文字体、色彩を使い葬儀施設１００の特色など、車両乗り入れ停車型方式や参列式を併用して活用することによって様々な人の利用度が多く好尚な葬儀ができる。
【００３６】
次に、車両会葬者受付装置５６の構成を説明する。
図２は、車両会葬者受付装置５６の機能ブロック図である。
【００３７】
車両会葬者受付装置５６は、図２に示すように、車両会葬者に関する会葬者情報を、施主（例えば、遺族）に関する施主情報及び式場に関する式場情報と対応づけて記憶する会葬者情報記憶部７０と、会葬者情報記憶部７０の会葬者情報に基づいて車両会葬者を受け付ける会葬者受付部７２とを有して構成されている。
【００３８】
会葬者受付部７２は、車両会葬者からの要求に応じて、施主及び式場に関する案内をタッチパネルに表示し、車両会葬者が自己の氏名等をタッチパネルから入力すると、会葬者情報記憶部７０の会葬者情報に基づいて、入力した氏名を会葬者名簿一覧のなかから照合し、会葬者名簿一覧の会葬者と一致した場合は、所定の区画５８、６４のうち該当の式場２２、４２に係る区画への案内をタッチパネルに表示する。また、入力した氏名に基づいて車両会葬者が来場したことを会葬者情報記憶部７０の会来場者名簿ファイルに記録する。
【００３９】
会葬者受付部７２は、所定の区画５８、６４に車両１が進入し停車したことを検出するセンサーと通信可能に接続し、センサーの検出結果に基づいて、所定の区画５８、６４のうち該当の式場２２、４２に係る区画に車両１を固定するように車両止めリフト６０、６６を制御する。
【００４０】
車両会葬者受付装置５６は、さらに、献花の種類、在庫数量及び価格を含む献花情報を記憶する献花情報記憶部７４と、車両会葬者が支払可能な金額を入力する支払金額入力部７６と、献花情報記憶部７４の献花情報に基づいて、１つの献花について、支払金額入力部７６で複数の車両会葬者から入力した金額の合計がその献花の価格以上であるか否かを判定する価格判定部７８と、価格判定部７８で献花の価格以上であると判定した場合は、献花情報記憶部７４の献花情報に基づいてその献花の発注を行う献花発注部８０とを有して構成されている。
【００４１】
支払金額入力部７６は、献花情報記憶部７４の献花情報に基づいて、献花の種類及び在庫数量に関する案内をタッチパネルに表示し、車両会葬者が希望の献花をタッチパネルで選択し、支払可能な金額をタッチパネルから入力する。
【００４２】
献花発注部８０は、献花の発注に関する発注情報を献花情報記憶部７４の発注ファイルに記録し、ネットワークを介して接続される献花発注システムに対し、献花の発注を要求する。
【００４３】
次に、本実施の形態の実施方法を説明する。
車両会葬者は、車両１に乗車したまま進入路から入口５０に車両１で進入し、車両会葬者受付装置５６により受付を行う。このとき、車両会葬者は、支払金額入力部７６により、１つの献花について支払可能な金額を入力する。複数の車両会葬者から支払可能な金額が入力されると、価格判定部７８により、献花情報記憶部７４の献花情報に基づいて、１つの献花について、複数の車両会葬者から入力された金額の合計がその献花の価格以上であるか否かが判定される。この結果、献花の価格以上であると判定された場合は、献花発注部８０により、献花情報記憶部７４の献花情報に基づいてその献花の発注が行われる。
【００４４】
その後、車両会葬者は、車両会葬者受付装置５６のタッチパネルの案内に従って、車道５４に沿って所定の区画５８、６４まで車両１を移動すると、車両止めリフト６０、６６により、所定の区画５８、６４に車両１が固定される。所定の区画５８、６４では、祭壇２２ａ、４２ａ及びスクリーン２２ｂ、４２ｂが拝観可能となっているので、車両会葬者は、ここで車両１に乗車したまま祭壇２２ａ、４２ａ及びスクリーン２２ｂ、４２ｂを拝観することができる。また、所定の区画５８、６４の進行方向右方には、焼香台６２、６８が設置されているので、車両会葬者は、ここで車両１に乗車したままお焼香を行うことができる。これらが終了すると、車両会葬者は、出口５２から退出路に車両１で退出する。
【００４５】
次に、本実施の形態の効果を説明する。
本実施の形態では、葬儀施設１００は、式場２２、４２の手前側壁面に沿って敷設された車道５４と、式場２２よりも入口５０側の車道５４の進行方向右方に設置された車両会葬者受付装置５６と、車道５４のうち式場２２、４２の正面で祭壇２２ａ、４２ａ及びスクリーン２２ｂ、４２ｂを拝観可能な所定の区画５８、６４にそれぞれ車両１を固定する車両止めリフト６０、６６と、所定の区画５８、６４の進行方向右方にそれぞれ設置された焼香台６２、６８とを備える。
【００４６】
これにより、車両会葬者は、車両１に乗車したまま葬儀に参列することができるので、体の不自由な人や家族ぐるみで参列したいという要望、夜間などの時間外に葬儀に参列したいという要望、時間に忙しくも平装にて短時間で済ませたいという要望等に応えることができる。したがって、従来に比して、多様な事情がある会葬者が葬儀に気軽に参列することができる。
【００４７】
さらに、本実施の形態では、車両会葬者受付装置５６は、献花の価格を含む献花情報を記憶する献花情報記憶部７４と、車両会葬者が支払可能な金額を入力する支払金額入力部７６と、献花情報記憶部７４の献花情報に基づいて、１つの献花について、支払金額入力部７６で複数の車両会葬者から入力した金額の合計がその献花の価格以上であるか否かを判定する価格判定部７８と、価格判定部７８で献花の価格以上であると判定した場合は、献花情報記憶部７４の献花情報に基づいてその献花の発注を行う献花発注部８０とを備える。
【００４８】
これにより、複数の車両会葬者により１つの献花を共同購入することができるので、１つの献花を１人で購入するには金銭的に負担が大きい車両会葬者であっても、献花を行う機会が得られる。
【００４９】
その他、本実施の形態に係る葬儀施設１００によれば次の効果も得られる。
（１）大勢の人達が出席及び参列により明るく送り出しと輝かしいステージ創りを実現することができる。
【００５０】
（２）本人の都合により代理人としての出席も可能でその後の信頼も保つことができる。
（３）葬儀場設置場所の導線を検討の上で会場全体をコンパクトにて執り行うことができる。
【００５１】
（４）生活改善的な考えに沿った場合でも実行可能で容易である（全体経費の削減）。
（５）香典等の簡素化や心遣い等は金銭面の不安が解消でき戸惑わない（お返し物なし）。
【００５２】
（６）献花等は、少量にて何人分の割合で献花できるので平等性を保つことができる。
（７）お清め式は、ホールなどにて軽い仕出しと飲み物で済ませるので容易である。
【００５３】
（８）会葬者からやむを得ず香典を受け取る場合もあるが方式全体の考え方には理解が可能である。
【００５４】
（９）車両会葬者受付装置５６により簡単に車両１内から受付を済ませることができる。
（１０）焼香台６２、６８により全員が一度で車両１内にてお焼香を済ませることができる。
【００５５】
（１１）車両止めリフト６０、６６が地中より自動に上下し停車ができる。
（１２）スクリーン２２ｂ、４２ｂにより夜間でも施設の位置が直ぐに分かる。
【００５６】
（１３）広告用イメージ外構パネルを設置すれば施設としての特徴が出て好事業的である。
【００５７】
（１４）建物２００内部の各設備の配置と使いやすさや演出力などの総合的な指導が可能である。
【００５８】
（１５）建物２００内の車道５４の構造や設備類の利用と実用さ及び安全対策の指導が可能である。
【００５９】
（１６）外構物の設置、駐車場の配置及び誘導路などの交通安全対策上の指導が可能である。
【００６０】
（１７）近隣全般の対策、諸官庁との協議及び建設工事費圧縮と予算組立ての指導が可能である。
【００６１】
本実施の形態において、献花情報は、発明２の献品情報に対応し、祭壇２２ａ、４２ａ及びスクリーン２２ｂ、４２ｂは、発明１の祭壇部に対応し、車両会葬者受付装置５６は、発明１若しくは３の会葬者受付装置、又は発明２の献品共同購入システムに対応している。また、車両止めリフト６０、６６は、発明１又は３の車両固定手段に対応し、献花情報記憶部７４は、発明２の献品情報記憶手段に対応し、支払金額入力部７６は、発明２の支払金額入力手段に対応し、価格判定部７８は、発明２の価格判定手段に対応している。
【００６２】
また、本実施の形態において、献花発注部８０は、発明２の献品発注手段に対応している。
【００６３】
〔他の変形例〕
なお、上記実施の形態においては、共同購入の対象として献花を購入する場合を例に挙げたが、これに限らず、献花以外の献品を共同購入の対象とすることもできる。複数種類の献品を取り扱うこともできる。
【００６４】
また、上記実施の形態及びその変形例において、車両会葬者受付装置５６は、受付機能及び共同購入機能を備えたが、これに限らず、受付機能のみを備えた構成とすることもできる。この場合、共同購入機能は、車両会葬者受付装置５６とは別の装置に組み込んで構成することができる。受付１２、３２付近に設置すれば、車両会葬者だけでなく徒歩会葬者も共同購入を利用することができる。
【符号の説明】
【００６５】
１００…葬儀施設、  ２００…建物、  １…車両、  １０、３０、５０…入口、  １２、３２…受付、  １４、３４…導師控室、  １６、３６…親族控室、  １８、３８…トイレ、  ２０、４０…清め室、  ２２、４２…式場、  ２０ａ、２０ｂ、２０ｃ、４０ａ、４０ｂ、４０ｃ…スライドドア、  ２２ａ、４２ａ…祭壇、  ２２ｂ、４２ｂ…スクリーン、  ２２ｃ、４２ｃ…カメラ、  ２２ｄ、４２ｄ…椅子、  ４０ｄ…可動間仕切、  ５２…出口、  ５４…車道、  ５６…車両会葬者受付装置、  ５８、６４…所定の区画、  ６０、６６…車両止めリフト、  ６２、６８…焼香台、  ７０…会葬者情報記憶部、  ７２…会葬者受付部、  ７４…献花情報記憶部、  ７６…支払金額入力部、  ７８…価格判定部、  ８０…献花発注部
【要約】
【課題】  多様な事情がある会葬者が葬儀に気軽に参列することができる葬儀施設を提供する。
【解決手段】  葬儀施設１００は、車両１の進入路につながる入口５０と、車両１の退出路につながる出口５２と、式場２２、４２の手前側壁面に沿って敷設され、入口５０から出口５２までつながる車両の車道５４と、式場２２よりも入口５０側の車道５４の進行方向右方に設置された車両会葬者受付装置５６と、車道５４のうち式場２２、４２の正面で祭壇２２ａ、４２ａ及びスクリーン２２ｂ、４２ｂを拝観可能な所定の区画５８、６４にそれぞれ車両１を固定する車両止めリフト６０、６６と、所定の区画５８、６４の進行方向右方にそれぞれ設置された焼香台６２、６８とを備える。
【選択図】  図１【図１】
0005744305.tif 000002
【図２】
0005744305.tif 000003